(57)【要約】  本発明は、プリコーディング処理方法、ユーザ機器、および基地局を開示している。この方法の手順は、第１のユーザ機器（ＵＥ）が、複数の候補プリコーディングパラメータを含むプリコーディングパラメータ集合を予め設定し、第１のＵＥが、基地局から送信された参照信号を受信し、参照信号に基づいて、チャネル状態を推定し、チャネル状態に基づいて、プリコーディングパラメータ集合の中から、複数のフィードバック対象プリコーディングパラメータを選択し、複数のフィードバック対象プリコーディングパラメータに対して、プリコーディングインジケータを生成し、プリコーディングインジケータを基地局にフィードバックする、ことを含む。
2019512910.tif 000002
【特許請求の範囲】
【請求項１】
プリコーディング処理方法であって、
第１のユーザ機器（ＵＥ）が、複数の候補プリコーディングパラメータを含むプリコーディングパラメータ集合を予め設定し、
前記第１のＵＥが、基地局から送信された参照信号を受信し、前記参照信号に基づいて、チャネル状態を推定し、
前記チャネル状態に基づいて、前記プリコーディングパラメータ集合の中から、複数のフィードバック対象プリコーディングパラメータを選択し、前記複数のフィードバック対象プリコーディングパラメータに対して、プリコーディングインジケータを生成し、
前記プリコーディングインジケータを前記基地局にフィードバックする、
ことを含むことを特徴とする方法。
【請求項２】
前記プリコーディングパラメータ集合は、Ｇ個の候補プリコーディングパラメータを含み、ここで、Ｇ＞Ｍ２であり、Ｇは正整数であり、Ｍは前記基地局のアンテナ総数である、ことを特徴とする請求項１に記載の方法。
【請求項３】
前記プリコーディングパラメータ集合を予め設定することは、
2019512910.tif 000008
によって、ｇ番目の候補プリコーディング行列Ｐｇを算出して、前記候補プリコーディングパラメータとする、ことを含み、
ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す、
ことを特徴とする請求項２に記載の方法。
【請求項４】
前記チャネル状態に基づいて、前記プリコーディングパラメータ集合の中から、複数のフィードバック対象プリコーディングパラメータを選択することは、
各候補プリコーディングパラメータ毎に、該候補プリコーディングパラメータおよび前記チャネル状態に基づいて、容量性能指標を算出し、
全ての候補プリコーディングパラメータの容量性能指標を降順に並べ、該降順に並べられた容量性能指標にしたがって、最大となるＬ個の容量性能指標に対応するＬ個の候補プリコーディングパラメータを選択して、前記複数のフィードバック対象プリコーディングパラメータとする、ことを含み、
ここで、Ｌは、フィードバック対象プリコーディングパラメータの総数である、ことを特徴とする請求項１に記載の方法。
【請求項５】
前記容量性能指標は、スループット、信号対干渉雑音比、フレーム誤り率のいずれか１つである、ことを特徴とする請求項４に記載の方法。
【請求項６】
前記チャネル状態に基づいて、前記プリコーディングパラメータ集合の中から、複数のフィードバック対象プリコーディングパラメータを選択することは、
各候補プリコーディングパラメータ毎に、該候補プリコーディングパラメータと前記チャネル状態との偏差を算出し、
全ての候補プリコーディングパラメータの偏差を昇順に並べ、該昇順に並べられた偏差にしたがって、最小となるＬ個の偏差に対応するＬ個の候補プリコーディングパラメータを選択して、前記複数のフィードバック対象プリコーディングパラメータとする、ことを含み、
ここで、Ｌは、フィードバック対象プリコーディングパラメータの総数である、ことを特徴とする請求項１に記載の方法。
【請求項７】
前記チャネル状態に基づいて、前記プリコーディングパラメータ集合の中から、複数のフィードバック対象プリコーディングパラメータを選択することは、
各候補プリコーディングパラメータそれぞれおよび前記チャネル状態に対して、第１の信号対干渉雑音比（ＳＩＮＲ）を算出し、全ての候補プリコーディングパラメータの第１のＳＩＮＲに基づいて、第１のＳＩＮＲの和を算出し、
所定の並び順にしたがって、前記プリコーディングパラメータ集合の中から、Ｌ個の候補プリコーディングパラメータを選択し、前記Ｌ個の候補プリコーディングパラメータに対して、各候補プリコーディングパラメータそれぞれおよび前記チャネル状態に基づいて、Ｌ個の第２のＳＩＮＲをそれぞれ算出し、該Ｌ個の候補プリコーディングパラメータのＬ個の第２のＳＩＮＲに基づいて、第２のＳＩＮＲの和を算出し、
前記第２のＳＩＮＲの和と前記第１のＳＩＮＲの和との比率が所定の閾値より大きい場合、前記Ｌ個の候補プリコーディングパラメータを前記複数のフィードバック対象プリコーディングパラメータとする、ことを含む、
ことを特徴とする請求項１に記載の方法。
【請求項８】
前記基地局から送信されたプリコーディング後の第１のＵＥのデータを受信し、ここで、前記基地局が、前記第１のＵＥと同じ空間リソースを使用する第２のＵＥを決定し、前記第１のＵＥおよび前記第２のＵＥのプリコーディングインジケータに基づいて、１つの共通のプリコーディングパラメータを第１のプリコーディングパラメータとして決定し、該第１のプリコーディングパラメータを用いて、前記第１のＵＥおよび前記第２のＵＥのデータをプリコーディングする、ことをさらに含む、ことを特徴とする請求項１乃至７のいずれか１項に記載の方法。
【請求項９】
前記基地局から送信されたプリコーディング後の第１のＵＥのデータを受信し、ここで、前記第１のＵＥと異なる空間リソースを使用する第３のＵＥを決定し、前記第３のＵＥのプリコーディングインジケータに基づいて、前記第１のプリコーディングパラメータと異なる第２のプリコーディングパラメータを決定し、該第２のプリコーディングパラメータを用いて、前記第３のＵＥのデータをプリコーディングする、ことをさらに含む、ことを特徴とする請求項８に記載の方法。
【請求項１０】
第１のユーザ機器（ＵＥ）であるユーザ機器であって、
複数の候補プリコーディングパラメータを含むプリコーディングパラメータ集合を予め設定する設定モジュールと、
基地局から送信された参照信号を受信する受信モジュールと、
前記参照信号に基づいて、チャネル状態を推定する推定モジュールと、
前記チャネル状態に基づいて、前記プリコーディングパラメータ集合の中から、複数のフィードバック対象プリコーディングパラメータを選択する選択モジュールと、
前記複数のフィードバック対象プリコーディングパラメータに対して、プリコーディングインジケータを生成する生成モジュールと、
前記プリコーディングインジケータを前記基地局にフィードバックするフィードバックモジュールと、を備えることを特徴とするユーザ機器。
【請求項１１】
前記プリコーディングパラメータ集合は、Ｇ個の候補プリコーディングパラメータを含み、ここで、Ｇ＞Ｍ２であり、Ｇは正整数であり、Ｍは前記基地局側のアンテナ総数である、ことを特徴とする請求項１０に記載のユーザ機器。
【請求項１２】
前記設定モジュールは、
2019512910.tif 000009
によって、ｇ番目の候補プリコーディング行列Ｐｇを算出して、前記候補プリコーディングパラメータとし、ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す、ことを特徴とする請求項１１に記載のユーザ機器。
【請求項１３】
前記選択モジュールは、各候補プリコーディングパラメータ毎に、該候補プリコーディングパラメータおよび前記チャネル状態に基づいて、容量性能指標を算出し、全ての候補プリコーディングパラメータの容量性能指標を降順に並べ、該降順に並べられた容量性能指標にしたがって、最大となるＬ個の容量性能指標に対応するＬ個の候補プリコーディングパラメータを選択して、前記複数のフィードバック対象プリコーディングパラメータとし、ここで、Ｌは、フィードバック対象プリコーディングパラメータの総数である、ことを特徴とする請求項１０に記載のユーザ機器。
【請求項１４】
前記選択モジュールは、各候補プリコーディングパラメータ毎に、該候補プリコーディングパラメータと前記チャネル状態との偏差を算出し、全ての候補プリコーディングパラメータの偏差を昇順に並べ、該昇順に並べられた偏差にしたがって、最小となるＬ個の偏差に対応するＬ個の候補プリコーディングパラメータを選択して、前記複数のフィードバック対象プリコーディングパラメータとし、ここで、Ｌは、フィードバック対象プリコーディングパラメータの総数である、ことを特徴とする請求項１０に記載のユーザ機器。
【請求項１５】
前記選択モジュールは、各候補プリコーディングパラメータそれぞれおよび前記チャネル状態に対して、第１の信号対干渉雑音比（ＳＩＮＲ）を算出し、全ての候補プリコーディングパラメータの第１のＳＩＮＲに基づいて、第１のＳＩＮＲの和を算出し、所定の並び順にしたがって、前記プリコーディングパラメータ集合の中から、Ｌ個の候補プリコーディングパラメータを選択し、前記Ｌ個の候補プリコーディングパラメータに対して、各候補プリコーディングパラメータそれぞれおよび前記チャネル状態に基づいて、Ｌ個の第２のＳＩＮＲをそれぞれ算出し、該Ｌ個の候補プリコーディングパラメータのＬ個の第２のＳＩＮＲに基づいて、第２のＳＩＮＲの和を算出し、前記第２のＳＩＮＲの和と前記第１のＳＩＮＲの和との比率が所定の閾値より大きい場合、前記Ｌ個の候補プリコーディングパラメータを前記複数のフィードバック対象プリコーディングパラメータとする、ことを特徴とする請求項１０乃至１４のいずれか１項に記載のユーザ機器。
【請求項１６】
前記受信モジュールは、さらに、前記基地局から送信されたプリコーディング後の第１のＵＥのデータを受信し、ここで、前記基地局が、前記第１のＵＥと同じ空間リソースを使用する第２のＵＥを決定し、前記第１のＵＥおよび前記第２のＵＥのプリコーディングインジケータに基づいて、１つの共通のプリコーディングパラメータを第１のプリコーディングパラメータとして決定し、該第１のプリコーディングパラメータを用いて、前記第１のＵＥおよび前記第２のＵＥのデータをプリコーディングする、ことを特徴とする請求項１０に記載のユーザ機器。
【請求項１７】
前記受信モジュールは、さらに、前記基地局から送信されたプリコーディング後の第１のＵＥのデータを受信し、ここで、前記第１のＵＥと異なる空間リソースを使用する第３のＵＥを決定し、前記第３のＵＥのプリコーディングインジケータに基づいて、前記第１のプリコーディングパラメータと異なる第２のプリコーディングパラメータを決定し、該第２のプリコーディングパラメータを用いて、前記第３のＵＥのデータをプリコーディングする、ことを特徴とする請求項１６に記載のユーザ機器。
【請求項１８】
基地局であって、
複数の候補プリコーディングパラメータを含むプリコーディングパラメータ集合を予め設定する設定モジュールと、
第１のユーザ機器（ＵＥ）へ参照信号を送信することにより、前記第１のＵＥが、受信された参照信号に基づいて、チャネル状態を推定し、前記チャネル状態に基づいて、前記プリコーディングパラメータ集合の中から、複数のフィードバック対象プリコーディングパラメータを選択し、前記複数のフィードバック対象プリコーディングパラメータに対して、プリコーディングインジケータを生成するようにする送信モジュールと、
前記第１のＵＥからフィードバックされた前記プリコーディングインジケータを受信する受信モジュールと、
前記プリコーディングインジケータおよび前記プリコーディングパラメータ集合に基づいて、前記第１のＵＥのデータをプリコーディングするためのプリコーディングパラメータを決定するプリコーディングモジュールと、
を備えることを特徴とする基地局。
【請求項１９】
前記プリコーディングパラメータ集合は、Ｇ個の候補プリコーディングパラメータを含み、ここで、Ｇ＞Ｍ２であり、Ｇは正整数であり、Ｍは前記基地局のアンテナ総数である、ことを特徴とする請求項１８に記載の基地局。
【請求項２０】
前記設定モジュールは、
2019512910.tif 000010
によって、ｇ番目の候補プリコーディング行列Ｐｇを算出して、前記候補プリコーディングパラメータとし、ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す、ことを特徴とする請求項１９に記載の基地局。
【請求項２１】
前記プリコーディングモジュールは、前記第１のＵＥと同じ空間リソースを使用する第２のＵＥを決定し、前記第１のＵＥおよび前記第２のＵＥのプリコーディングインジケータの中から、１つの共通のプリコーディングパラメータを第１のプリコーディングパラメータとして探し出し、該第１のプリコーディングパラメータを用いて、前記第１のＵＥおよび前記第２のＵＥのデータをプリコーディングする、ことを特徴とする請求項１８に記載の基地局。
【請求項２２】
前記プリコーディングモジュールは、前記第１のＵＥと異なる空間リソースを使用する第３のＵＥを決定し、前記第３のＵＥのプリコーディングインジケータの中から、前記第１のプリコーディングパラメータと異なる第２のプリコーディングパラメータを探し出し、該第２のプリコーディングパラメータを用いて、前記第３のＵＥのデータをプリコーディングする、ことを特徴とする請求項１８に記載の基地局。
【請求項２３】
下りハイブリッド自動再送要求の結果に基づいて、パケット誤り率を統計し、前記パケット誤り率が所定の閾値より大きい場合、前記送信モジュールへ制御指令を送信する制御モジュールをさらに備え、
前記送信モジュールは、さらに、前記制御指令にしたがって、下り制御シグナリングを送信して、前記第１のＵＥに対し、前記プリコーディングインジケータをフィードバックするよう通知する、
ことを特徴とする請求項１８乃至２２のいずれか１項に記載の基地局。
【発明の詳細な説明】
【技術分野】
【０００１】
本願は、移動通信技術に関し、特に、プリコーディング処理方法、ユーザ機器、および基地局に関する。
【背景技術】
【０００２】
無線通信システムでは、基地局がプリコーディング処理を行うとき、通常、ユーザ機器（ＵＥ）から１つのプリコーディング行列インジケータ（ＰＭＩ）をフィードバックする必要がある。これにより、基地局は、ＵＥからフィードバックされたこのＰＭＩに基づいて、コードブックの中から、該ＵＥに使用するプリコーディング行列を決定する。
【０００３】
マルチユーザ伝送では、上述したＵＥからＰＭＩをフィードバックするような方式は、直交伝送システムに適用し、即ち、異なるＵＥに割り当てられたＰＭＩが異なる。
【発明の概要】
【発明が解決しようとする課題】
【０００４】
本願の実施例は、上記に鑑みてなされたものであって、プリコーディング処理方法を提供しており、下りスケジューリングの正確性の向上を目的とする。これに応じて、システムスループットおよびユーザスループットも、ある程度で向上することができる。
【課題を解決するための手段】
【０００５】
本願の実施例は、下記のように実現される。
プリコーディング処理方法であって、第１のユーザ機器（ＵＥ）が、複数の候補プリコーディングパラメータを含むプリコーディングパラメータ集合を予め設定し、前記第１のＵＥが、基地局から送信された参照信号を受信し、前記参照信号に基づいて、チャネル状態を推定し、前記チャネル状態に基づいて、前記プリコーディングパラメータ集合の中から、複数のフィードバック対象プリコーディングパラメータを選択し、前記複数のフィードバック対象プリコーディングパラメータに対して、プリコーディングインジケータを生成し、前記プリコーディングインジケータを前記基地局にフィードバックする、ことを含む。
【０００６】
ユーザ機器であって、複数の候補プリコーディングパラメータを含むプリコーディングパラメータ集合を予め設定する設定モジュールと、基地局から送信された参照信号を受信する受信モジュールと、前記参照信号に基づいて、チャネル状態を推定する推定モジュールと、前記チャネル状態に基づいて、前記プリコーディングパラメータ集合の中から、複数のフィードバック対象プリコーディングパラメータを選択する選択モジュールと、前記複数のフィードバック対象プリコーディングパラメータに対して、プリコーディングインジケータを生成する生成モジュールと、前記プリコーディングインジケータを前記基地局にフィードバックするフィードバックモジュールと、を備える。
【０００７】
基地局であって、複数の候補プリコーディングパラメータを含むプリコーディングパラメータ集合を予め設定する設定モジュールと、第１のユーザ機器（ＵＥ）へ参照信号を送信することにより、前記第１のＵＥが、受信された参照信号に基づいて、チャネル状態を推定し、前記チャネル状態に基づいて、前記プリコーディングパラメータ集合の中から、複数のフィードバック対象プリコーディングパラメータを選択し、前記複数のフィードバック対象プリコーディングパラメータに対して、プリコーディングインジケータを生成するようにする送信モジュールと、前記第１のＵＥからフィードバックされた前記プリコーディングインジケータを受信する受信モジュールと、前記プリコーディングインジケータおよび前記プリコーディングパラメータ集合に基づいて、前記第１のＵＥのデータをプリコーディングするためのプリコーディングパラメータを決定するプリコーディングモジュールと、を備える。
【発明の効果】
【０００８】
上述した解決手段からわかるように、本願の実施例で提供された移動通信システムにおけるプリコーディング処理方法、ユーザ機器、および基地局によれば、ＵＥから基地局にフィードバックされたプリコーディングインジケータは、複数のフィードバック対象プリコーディングパラメータを指示することができ、プリコーディング行列のフィードバックの精度を向上させる。さらに、基地局は、各ＵＥからフィードバックされたプリコーディングインジケータに基づいて、複数のユーザをスケジューリングし、マルチユーザの直交および／または非直交伝送を実現するためにユーザのペアリングの複数の組み合わせを決定することが可能になり、マルチユーザ利得を増加させ、システムスループットおよびユーザスループットを向上させる。
【図面の簡単な説明】
【０００９】
【図１】本願の一部の実施例におけるプリコーディング処理方法のフローの模式図である。
【図２】本願の他の一部の実施例におけるプリコーディング処理方法のフローの模式図である。
【図３】本願の一部の実施例におけるプリコーディング処理方法の適用シナリオ図である。
【図４】本願の一部の実施例におけるプリコーディング処理方法のシグナリングやり取り図である。
【図５】本願の一部の実施例におけるユーザ機器の構成の模式図である。
【図６】本願の一部の実施例における基地局の構成の模式図である。
【発明を実施するための形態】
【００１０】
本発明の目的、解決手段、およびメリットをさらに明確にするために、以下、図面を参照しながら、実施例を挙げて、本願をさらに詳しく説明する。
【００１１】
マルチユーザ伝送では、上述したＵＥからＰＭＩをフィードバックするような方式は、直交伝送システムに適用し、即ち、異なるＵＥに割り当てられたＰＭＩが異なる。複数のＵＥが同一のＰＭＩを使用した非直交伝送システム、例えば、非直交多元接続（ＮＯＭＡ）の場合、各ＵＥから１つのみのＰＭＩをフィードバックするような方式は、基地局が、各ＵＥからのフィードバックに基づいて、２つ以上のＵＥに対して同一のＰＭＩを選択することに不利であり、複数のＵＥの性能が最善となることを同時に満たす同一のＰＭＩを決定できないことがある。このため、ＵＥによるＰＭＩのフィードバックの有効性が低下することで、基地局による下りスケジューリングの正確性に影響し、一部のＵＥの周波数利用効率も低下する恐れがある。
【００１２】
図１は、本願の一部の実施例におけるプリコーディング処理方法のフローの模式図である。この方法は、第１のＵＥに用いられ、以下のステップを含む。
【００１３】
ステップ１０１で、複数の候補プリコーディングパラメータを含むプリコーディングパラメータ集合を予め設定する。
【００１４】
本ステップにおいて、プリコーディングパラメータ集合は、Ｇ個の候補プリコーディングパラメータを含み、ここで、Ｇ＞Ｍ２であり、Ｇは正整数であり、Ｍは基地局のアンテナ総数である。プリコーディングパラメータ集合は、１つのコードブックであってもよく、候補プリコーディングパラメータは、プリコーディング行列で表されてもよい。
【００１５】
例えば、ｇ番目の候補プリコーディング行列Ｐｇ（ｇ＝０，１，・・・，Ｇ−１）のｍ行目ｎ列目の要素Ｐｇ（ｍ，ｎ）は、以下の数式１で表されてもよい。
【数１】
2019512910.tif 000003
ここで、ｍ＝０，１，・・・，Ｍ−１であり、ｍ＝０，１，・・・，Ｍ−１である。例えば、Ｍ＝２、Ｇ＝５である場合、プリコーディングパラメータ集合には、５つのプリコーディング行列が含まれる。即ち、
【数２】
2019512910.tif 000004
ここで、Ｇの値によって、プリコーディングパラメータ集合内の候補プリコーディングパラメータの個数が決められる。第１のＵＥは、Ｇの具体的な数値を設定することにより、プリコーディングパラメータ集合の大きさを制御することができる。Ｇが大きければ、プリコーディングパラメータ集合内の選択可能なプリコーディング行列の個数が多くなる。
【００１６】
ステップ１０２で、基地局から送信された参照信号を受信し、参照信号に基づいて、チャネル状態を推定する。
【００１７】
第１のＵＥは、受信された参照信号（ＲＳ）に基づいて、チャネル状態情報（ＣＳＩ）を推定することができる。例えば、長期的な進化（ＬＴＥ）システムでは、第１のＵＥは、基地局から送信されたＣＳＩ−ＲＳ信号を受信し、その中から、行列Ｈで表されるＣＳＩを推定する。
【００１８】
ステップ１０３で、チャネル状態に基づいて、プリコーディングパラメータ集合の中から、複数のフィードバック対象プリコーディングパラメータを選択し、複数のフィードバック対象プリコーディングパラメータに対して、プリコーディングインジケータを生成する。
【００１９】
本ステップにおいて、第１のＵＥは、自局のチャネル状態に基づいて、予め設定されたプリコーディングパラメータ集合の中から、Ｌ個のフィードバック対象プリコーディングパラメータを選択し、即ち、ＣＳＩ行列に基づいて、Ｇ個のプリコーディング行列の中から、Ｌ個のプリコーディング行列を選択する。この選択は、以下の２つの方式によってもよい。
【００２０】
方式１：性能指標に基づく選択
一部の実施例では、各候補プリコーディング行列Ｐｇ毎に、該候補プリコーディング行列および第１のＵＥのＣＳＩ行列Ｈに基づいて、容量性能指標を算出する。その後、全ての容量性能指標を降順に並べ、該降順に並べられた容量性能指標にしたがって、最大となるＬ個の容量性能指標に対応するＬ個の候補プリコーディング行列を選択して、複数のフィードバック対象プリコーディングパラメータとする。
ここで、容量性能指標の算出の具体的な方法は、ＬＴＥシステムにおける算出方式を参照すればよく、ここで説明を省略する。
【００２１】
方式２：量子化に基づく選択
一部の実施例では、各候補プリコーディング行列Ｐｇ毎に、該候補プリコーディング行列と第１のＵＥのＣＳＩ行列Ｈとの偏差を算出する。全ての候補プリコーディング行列の偏差を昇順に並べ、該昇順に並べられた偏差にしたがって、最小となるＬ個の偏差に対応するＬ個の候補プリコーディング行列を選択して、複数のフィードバック対象プリコーディングパラメータとする。
【００２２】
一部の実施例では、各候補プリコーディング行列とＣＳＩ行列との偏差を算出する前に、以下の数式３に示すように、該ＣＳＩ行列Ｈに対して特異値分解を行って、右特異行列Ｖを得る。
【数３】
2019512910.tif 000005
【００２３】
また、Ｌの値は、第１のＵＥによって固定値に予め設定されてもよく、例えば、Ｌ＝３であり、または、第１のＵＥによって容量比率方式で決定されてもよく、または、基地局が下り制御シグナリングを送信して、Ｌの値を第１のＵＥに知らせるようにしてもよい。
【００２４】
一実施例では、容量比率方式でＬを決定することは、具体的に、以下のステップを含む。
【００２５】
ステップ１０３１で、全ての候補プリコーディング行列ＰｇおよびＣＳＩ行列Ｈに基づいて、第１のＳＩＮＲの和を算出し、即ち、Ｇ個の候補プリコーディング行列ＰｇおよびＣＳＩ行列Ｈに基づいて、Ｇ個の第１のＳＩＮＲの値を算出し、それらの和を求めて第１のＳＩＮＲの和を得る。
【００２６】
ステップ１０３２で、所定の並べ順にしたがって、コードブックの中から、Ｌ個の候補プリコーディング行列を選択し、該Ｌ個の候補プリコーディング行列およびＣＳＩ行列Ｈに基づいて、第２のＳＩＮＲの和を算出し、即ち、Ｌ個の候補プリコーディング行列ＰｇおよびＣＳＩ行列Ｈに基づいて、Ｌ個の第２のＳＩＮＲの値を算出し、それらの和を求めて第２のＳＩＮＲの和を得る。
ここで、所定の並べ順については、走査の方式で、Ｇ個の候補プリコーディング行列の中から、Ｌ個の候補プリコーディング行列を選択してもよい。
【００２７】
ステップ１０３３で、第２のＳＩＮＲの和と第１のＳＩＮＲの和との比率が所定の閾値より大きい場合、Ｌ個の候補プリコーディング行列を複数のフィードバック対象プリコーディングパラメータとする。例えば、この所定の閾値は、６０％である。
ここで、ステップ１０３２および１０３３は、繰り返し処理であり、Ｌ個の候補プリコーディング行列毎に、第２のＳＩＮＲの和と第１のＳＩＮＲの和との比率を算出し、この比率が所定の閾値より大きい場合、繰り返しが終了する。
【００２８】
ステップ１０４で、プリコーディングインジケータを基地局にフィードバックする。
プリコーディングインジケータには、Ｌ個の候補プリコーディング行列それぞれの候補プリコーディング集合におけるインデックスが付けられている。第１のＵＥが該プリコーディングインジケータを基地局にフィードバックするか否かは、上位層シグナリング（例えば、無線リソース制御（ＲＲＣ）シグナリング）によって半静的に設定され、または下り制御シグナリングによって基地局で動的に設定されてもよい。
【００２９】
受信されたシグナリングから、フィードバックする必要があることを知ると、第１のＵＥは、物理上り制御チャネル（ＰＵＣＣＨ）または物理上り共有チャネル（ＰＵＳＣＨ）で、上記プリコーディングインジケータを基地局にフィードバックしてもよい。
【００３０】
本実施例では、第１のＵＥは、チャネル状態に基づいて、プリコーディングパラメータ集合の中から、複数のフィードバック対象プリコーディングパラメータを選択し、複数のフィードバック対象プリコーディングパラメータに対して、プリコーディングインジケータを生成して、基地局にフィードバックする。１つのみのＰＭＩをフィードバックするような方式に比べると、ＵＥによるプリコーディング行列のフィードバックの精度を向上させる。これにより、基地局は、マルチユーザのスケジューリング時にユーザのペアリングの複数の組み合わせを提供することが可能になり、マルチユーザ利得を増加させ、システムスループットおよびユーザスループットを向上させる。
【００３１】
また、ＬＴＥシステムでは、２つのアンテナの場合のプリコーディング行列のコードブックは、４つのコードブックベクトル、即ち、４つの候補プリコーディング行列を含み、４つのアンテナの場合のプリコーディング行列のコードブックは、１６個のコードブックベクトル、即ち、１６個の候補プリコーディング行列を含む。本実施例では、プリコーディングパラメータ集合は、Ｇ個の候補プリコーディングパラメータを含み、Ｇ＞Ｍ２である。ここから分かるように、候補プリコーディング行列の数が増加する。これにより、ＵＥは、ＣＳＩに基づいて、それにマッチングするプリコーディング行列をより精確に選択することが可能になり、プリコーディング利得を向上させることができる。
【００３２】
図２は、本願の他の一部の実施例におけるプリコーディング処理方法のフローの模式図である。この方法は、基地局に用いられ、以下のステップを含む。
【００３３】
ステップ２０１で、複数の候補プリコーディングパラメータを含むプリコーディングパラメータ集合を予め設定する。
本ステップの設定方法は、ステップ１０１と同様であり、ここで説明を省略する。
【００３４】
ステップ２０２で、第１のＵＥへ参照信号を送信することにより、第１のＵＥが、受信された参照信号に基づいて、チャネル状態を推定し、チャネル状態に基づいて、プリコーディングパラメータ集合の中から、複数のフィードバック対象プリコーディングパラメータを選択し、複数のフィードバック対象プリコーディングパラメータに対して、プリコーディングインジケータを生成するようにする。
【００３５】
ステップ２０３で、第１のＵＥからフィードバックされたプリコーディングインジケータを受信する。
【００３６】
ステップ２０４で、プリコーディングインジケータおよびプリコーディングパラメータ集合に基づいて、第１のＵＥのデータをプリコーディングするためのプリコーディングパラメータを決定する。
【００３７】
基地局は、各ＵＥからフィードバックされたプリコーディングインジケータを受信する。該プリコーディングインジケータには、該ＵＥで選択されたＬ個のプリコーディング行列それぞれのインデックスが付けられている。基地局は、各ＵＥのプリコーディングインジケータに基づいてスケジューリングを行って、第１のＵＥのマルチアンテナ伝送モードおよび使用するプリコーディングパラメータを決定する。ここで、マルチアンテナ伝送モードは、以下の４種類を含む。
【００３８】
（１）シングルユーザ−多入力多出力（ＳＵ−ＭＩＭＯ）伝送
基地局は、あるリソースブロックで、１つのみのＵＥをスケジューリングする。図３に示すように、第１のＵＥはＵＥ１であり、基地局およびＵＥ１は、それぞれ２本のアンテナを有し、基地局は、これらの２本のアンテナを使用して、ＵＥ１とＳＵ−ＭＩＭＯ伝送を行う。この場合、基地局は、ＵＥ１からフィードバックされたプリコーディングインジケータから、Ｌ個のプリコーディング行列を知り、その中から、最善となる１つのプリコーディング行列を選択して、第１のＵＥのデータをプリコーディングし、プリコーディング後のデータを第１のＵＥに送信する。
【００３９】
基地局は、上り参照信号からＵＥのＣＳＩを知ることができるので、ここで、最善となる１つのプリコーディング行列を選択することは、ステップ１０３における性能指標に基づく方法または量子化に基づく方法によって選択してもよい。
【００４０】
（２）ＮＯＭＡ伝送
基地局は、第１のＵＥと同じ空間リソースを使用する第２のＵＥを決定し、第１のＵＥおよび第２のＵＥのプリコーディングインジケータの中から、１つの共通のプリコーディングパラメータを第１のプリコーディングパラメータとして探し出し、該第１のプリコーディングパラメータを用いて、第１のＵＥおよび第２のＵＥのデータをプリコーディングする。ここで、第２のＵＥは、１つまたは複数のＵＥを含んでもよい。
【００４１】
図３に示すような実施例では、第１のＵＥはＵＥ１であり、第２のＵＥはＵＥ２であり、基地局は、同じ空間リソースで、ＵＥ１およびＵＥ２を同時にスケジューリングするように決定するが、ＵＥ１およびＵＥ２に割り当てられた電力が異なる。これは、即ち、いわゆるＮＯＭＡ伝送である。しかし、基地局とＵＥ１との伝送から見れば、依然としてＳＵ−ＭＩＭＯ伝送に属する。同様に、基地局とＵＥ２との伝送もＳＵ−ＭＩＭＯ伝送に属する。
【００４２】
この場合、基地局は、ＵＥ１からフィードバックされたプリコーディングインジケータから、ＵＥ１に対応する１組のプリコーディング行列を知り、ＵＥ２からフィードバックされたプリコーディングインジケータから、ＵＥ２に対応する他の１組のプリコーディング行列を知る。これらの２組のプリコーディング行列は、それぞれＬ個のプリコーディング行列を含む。その後、基地局は、これらの２組のプリコーディング行列の中から、同一のプリコーディング行列を選択して、ＮＯＭＡ伝送に使用するプリコーディング行列とし、ＵＥ１およびＵＥ２のデータをプリコーディングし、プリコーディング後のデータをＵＥ１およびＵＥ２にそれぞれ送信する。
【００４３】
ここで、同一のプリコーディング行列を選択することは、第１のＵＥおよび第２のＵＥの容量性能指標の和が最大となることを満たし、または、第１のＵＥの容量性能指標が最善であって、第２のＵＥの容量性能指標が次善であることを満たし、または、第１のＵＥの性能指標が次善であって、第２のＵＥの性能指標が最善であることを満たす原則に従ってもよい。ここで、容量性能指標は、スループット、ＳＩＮＲ、ＦＥＲのいずれか１つであってもよい。
【００４４】
（３）マルチユーザ−多入力多出力（ＭＵ−ＭＩＭＯ）伝送
第１のＵＥと異なる空間リソースを使用する第３のＵＥを決定し、第３のＵＥのプリコーディングインジケータの中から、第１のプリコーディングパラメータと異なる第２のプリコーディングパラメータを探し出し、該第２のプリコーディングパラメータを用いて、第３のＵＥのデータをプリコーディングする。ここで、第３のＵＥは、１つまたは複数のＵＥを含んでもよい。
【００４５】
図３に示すような実施例では、第３のＵＥはＵＥ３であり、基地局は、２つの異なる空間リソースで、それぞれ、ＵＥ１およびＵＥ３をスケジューリングするように決定する。この場合、基地局は、それぞれ、ＵＥ１からフィードバックされたプリコーディングインジケータおよびＵＥ３からフィードバックされたプリコーディングインジケータに基づいて、２つの異なるプリコーディング行列を決定して、ＵＥ１およびＵＥ３のデータのプリコーディングにそれぞれ使用し、プリコーディング後のデータをＵＥ１およびＵＥ３にそれぞれ送信する。
【００４６】
（４）ＮＯＭＡ＋ＭＵ−ＭＩＭＯ伝送
基地局は、第１のＵＥと同じ空間リソースを使用する第２のＵＥと、第１のＵＥと異なる空間リソースを使用する第３のＵＥとを決定し、第１のＵＥおよび第２のＵＥのプリコーディングインジケータの中から、１つの共通のプリコーディングパラメータを第１のプリコーディングパラメータとして探し出し、第３のＵＥのプリコーディングインジケータの中から、第１のプリコーディングパラメータと異なる第２のプリコーディングパラメータを探し出し、該第１のプリコーディングパラメータを用いて、第１のＵＥおよび第２のＵＥのデータをプリコーディングし、該第２のプリコーディングパラメータを用いて、第３のＵＥのデータをプリコーディングする。
【００４７】
上記のように、図３において、基地局は、ＵＥ１、ＵＥ２、およびＵＥ３を同時にスケジュールし、ここで、ＵＥ１とＵＥ２との間はＮＯＭＡ方式で伝送し、ＵＥ１、ＵＥ２、およびＵＥ３の間はＭＵ−ＭＩＭＯ方式で伝送する。各ＵＥは、いずれも複数のプリコーディング行列をフィードバックしたので、基地局は、このような複合方式の伝送において、ＮＯＭＡに同一のプリコーディング行列を使用することを満たすとともに、対になるＭＵ−ＭＩＭＯ  ＵＥに使用する他のプリコーディング行列を決定することができ、マルチユーザの多重化利得を向上させ、システムスループットおよびユーザスループットを増加させる。
【００４８】
図４は、本願の一部の実施例におけるプリコーディング処理方法のシグナリング図である。図４を参照すると、この方法は、以下のステップを含む。
【００４９】
ステップ４００で、基地局および第１のＵＥは、それぞれ、プリコーディングパラメータ集合を予め設定する。
基地局および第１のＵＥは、例えば、ステップ１０１における方法のような同様の方法によって設定を行う。ここで、該プリコーディングパラメータ集合は、複数の候補プリコーディングパラメータを含む。
【００５０】
ステップ４０１で、基地局は、下り制御シグナリングを送信して、第１のＵＥに対し、複数のプリコーディング行列を指示するプリコーディングインジケータをフィードバックするよう通知する。
【００５１】
例えば、基地局は、物理下り制御チャネル（ＰＤＣＣＨ）において、指示ビットを設定する。ＵＥは、この指示ビットを受信すると、この指示ビットから、上記プリコーディングインジケータをフィードバックする必要があるか否かを知る。この設定は、動的な設定であってもよく、ＵＥは、この指示ビットを受信して始めて、複数のプリコーディング行列の選択を行う。例えば、基地局は、下りハイブリッド自動再送要求（ＨＡＲＱ）の結果に基づいて、ブロック誤り率（ＢＬＥＲ）を統計し、該ＢＬＥＲが所定の閾値より大きい場合、ＰＤＣＣＨにおいて指示ビットを設定するようにしてもよい。
【００５２】
ステップ４０２で、基地局は、第１のＵＥへ参照信号を送信する。
【００５３】
ステップ４０３で、第１のＵＥは、受信された参照信号に基づいて、チャネル状態を推定し、チャネル状態に基づいて、プリコーディングパラメータ集合の中から、複数のフィードバック対象プリコーディングパラメータを選択し、複数のフィードバック対象プリコーディングパラメータに対して、プリコーディングインジケータを生成する。
【００５４】
ステップ４０４で、第１のＵＥは、基地局へプリコーディングインジケータをフィードバックする。
【００５５】
ステップ４０５で、基地局は、プリコーディングインジケータおよびプリコーディングパラメータ集合に基づいて、第１のＵＥのデータをプリコーディングするためのプリコーディングパラメータを決定し、決定されたプリコーディングパラメータに基づいて、第１のＵＥのデータをプリコーディングする。
【００５６】
ステップ４０６で、基地局は、第１のＵＥへプリコーディング後のデータを送信する。
【００５７】
図５は、本願の一部の実施例における第１のＵＥ５００の構成の模式図である。この第１のＵＥ５００は、複数の候補プリコーディングパラメータを含むプリコーディングパラメータ集合を予め設定する設定モジュール５１０と、基地局から送信された参照信号を受信する受信モジュール５２０と、受信モジュール５２０で受信された参照信号に基づいて、チャネル状態を推定する推定モジュール５３０と、推定モジュール５３０で推定されたチャネル状態に基づいて、設定モジュール５１０で設定されたプリコーディングパラメータ集合の中から、複数のフィードバック対象プリコーディングパラメータを選択する選択モジュール５４０と、選択モジュール５４０で選択された複数のフィードバック対象プリコーディングパラメータに対して、プリコーディングインジケータを生成する生成モジュール５５０と、生成モジュール５５０で生成されたプリコーディングインジケータを基地局にフィードバックするフィードバックモジュール５６０と、を備える。
【００５８】
一部の実施例では、プリコーディングパラメータ集合は、Ｇ個の候補プリコーディングパラメータを含み、ここで、Ｇ＞Ｍ２であり、Ｍは基地局側のアンテナ総数である。
【００５９】
一部の実施例では、設定モジュール５１０は、
2019512910.tif 000006
によって、ｇ番目の候補プリコーディング行列Ｐｇを算出して、候補プリコーディングパラメータとし、ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す。
【００６０】
一部の実施例では、選択モジュール５４０は、各候補プリコーディングパラメータ毎に、該候補プリコーディングパラメータおよびチャネル状態に基づいて、容量性能指標を算出し、全ての候補プリコーディングパラメータの容量性能指標を降順に並べ、該降順に並べられた容量性能指標にしたがって、最大となるＬ個の容量性能指標に対応するＬ個の候補プリコーディングパラメータを選択して、複数のフィードバック対象プリコーディングパラメータとし、ここで、Ｌは、フィードバック対象プリコーディングパラメータの総数である。
【００６１】
一部の実施例では、選択モジュール５４０は、各候補プリコーディングパラメータ毎に、該候補プリコーディングパラメータとチャネル状態との偏差を算出し、全ての候補プリコーディングパラメータの偏差を昇順に並べ、該昇順に並べられた偏差にしたがって、最小となるＬ個の偏差に対応するＬ個の候補プリコーディングパラメータを選択して、複数のフィードバック対象プリコーディングパラメータとし、ここで、Ｌは、フィードバック対象プリコーディングパラメータの総数である。
【００６２】
一部の実施例では、選択モジュール５４０は、各候補プリコーディングパラメータそれぞれおよび前記チャネル状態に対して、第１の信号対干渉雑音比（ＳＩＮＲ）を算出し、全ての候補プリコーディングパラメータの第１のＳＩＮＲに基づいて、第１のＳＩＮＲの和を算出し、所定の並び順にしたがって、前記プリコーディングパラメータ集合の中から、Ｌ個の候補プリコーディングパラメータを選択し、前記Ｌ個の候補プリコーディングパラメータに対して、各候補プリコーディングパラメータそれぞれおよび前記チャネル状態に基づいて、Ｌ個の第２のＳＩＮＲをそれぞれ算出し、該Ｌ個の候補プリコーディングパラメータのＬ個の第２のＳＩＮＲに基づいて、第２のＳＩＮＲの和を算出し、前記第２のＳＩＮＲの和と前記第１のＳＩＮＲの和との比率が所定の閾値より大きい場合、前記Ｌ個の候補プリコーディングパラメータを前記複数のフィードバック対象プリコーディングパラメータとする。
【００６３】
一部の実施例では、前記受信モジュール５２０は、さらに、前記基地局から送信されたプリコーディング後の第１のＵＥのデータを受信し、ここで、前記基地局が、前記第１のＵＥと同じ空間リソースを使用する第２のＵＥを決定し、前記第１のＵＥおよび前記第２のＵＥのプリコーディングインジケータに基づいて、１つの共通のプリコーディングパラメータを第１のプリコーディングパラメータとして決定し、該第１のプリコーディングパラメータを用いて、前記第１のＵＥおよび前記第２のＵＥのデータをプリコーディングする。
【００６４】
一部の実施例では、前記受信モジュール５２０は、さらに、前記基地局から送信されたプリコーディング後の第１のＵＥのデータを受信し、ここで、前記第１のＵＥと異なる空間リソースを使用する第３のＵＥを決定し、前記第３のＵＥのプリコーディングインジケータに基づいて、前記第１のプリコーディングパラメータと異なる第２のプリコーディングパラメータを決定し、該第２のプリコーディングパラメータを用いて、前記第３のＵＥのデータをプリコーディングする。
【００６５】
図６は、本願の一部の実施例における基地局６００の構成の模式図である。この基地局６００は、複数の候補プリコーディングパラメータを含むプリコーディングパラメータ集合を予め設定する設定モジュール６１０と、第１のユーザ機器（ＵＥ）へ参照信号を送信することにより、第１のＵＥが、受信された参照信号に基づいて、チャネル状態を推定し、チャネル状態に基づいて、プリコーディングパラメータ集合の中から、複数のフィードバック対象プリコーディングパラメータを選択し、複数のフィードバック対象プリコーディングパラメータに対して、プリコーディングインジケータを生成するようにする送信モジュール６２０と、第１のＵＥからフィードバックされたプリコーディングインジケータを受信する受信モジュール６３０と、受信モジュール６３０で受信されたプリコーディングインジケータと、設定モジュール６１０で設定されたプリコーディングパラメータ集合とに基づいて、第１のＵＥのデータをプリコーディングするためのプリコーディングパラメータを決定するプリコーディングモジュール６４０と、を備える。
【００６６】
一部の実施例では、プリコーディングパラメータ集合は、Ｇ個の候補プリコーディングパラメータを含み、ここで、Ｇ＞Ｍ２であり、Ｍは基地局のアンテナ総数である。
【００６７】
一部の実施例では、設定モジュール６１０は、
2019512910.tif 000007
によって、ｇ番目の候補プリコーディング行列Ｐｇを算出して、候補プリコーディングパラメータとし、ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す。
【００６８】
一部の実施例では、プリコーディングモジュール６４０は、第１のＵＥと同じ空間リソースを使用する第２のＵＥを決定し、第１のＵＥおよび第２のＵＥのプリコーディングインジケータの中から、１つの共通のプリコーディングパラメータを第１のプリコーディングパラメータとして探し出し、該第１のプリコーディングパラメータを用いて、第１のＵＥおよび第２のＵＥのデータをプリコーディングする。
【００６９】
一部の実施例では、プリコーディングモジュール６４０は、第１のＵＥと異なる空間リソースを使用する第３のＵＥを決定し、第３のＵＥのプリコーディングインジケータの中から、第１のプリコーディングパラメータと異なる第２のプリコーディングパラメータを探し出し、該第２のプリコーディングパラメータを用いて、第３のＵＥのデータをプリコーディングする。
【００７０】
一部の実施例では、基地局６００は、下りハイブリッド自動再送要求の結果に基づいて、パケット誤り率を統計し、パケット誤り率が所定の閾値より大きい場合、送信モジュールへ制御指令を送信する制御モジュール６５０をさらに備え、送信モジュール６２０は、さらに、制御モジュール６５０から送信された制御指令にしたがって、下り制御シグナリングを送信して、第１のＵＥに対し、プリコーディングインジケータをフィードバックするよう通知する。
【００７１】
本願の実施例で提供されたプリコーディング処理方法によれば、ＵＥは、プリコーディングインジケータを介して、複数のフィードバック対象プリコーディングパラメータを基地局に送信することで、プリコーディングのフィードバックの精度を向上させ、基地局は、マルチユーザのスケジューリング時にユーザのペアリングの複数の組み合わせを提供することが可能になり、マルチユーザ利得を増加させ、システムスループットおよびユーザスループットを向上させる。
【００７２】
当業者であれば理解すべきものとして、本願の実施例のユーザ機器および基地局における各処理手段の機能は、前述した方法に関する実施例の関連説明を参照すると、理解することができ、本願の実施例のユーザ機器および基地局における各処理手段は、本願の実施例における方法を実現するソフトウェアがユーザ機器および基地局で実行されることによって、実現することができる。
【００７３】
本願で提供された幾つかの実施例では、理解すべきものとして、開示された機器および方法は、別の方式で実現してもよい。上記に説明した機器に関する実施例は、模式的なものにすぎない。例えば、前記手段の分割は、論理的な機能の分割にすぎず、実際に実現する際に、別の分割方式であってもよい。例えば、複数のモジュールまたはアセンブリを組み合わせたり、他のシステムに組み入れたりしてもよいし、一部の構成を無視したり、実行しなかったりしてもよい。また、示されまたは説明された各構成部分の互いの結合、または直接結合、または通信接続は、若干のインターフェースを介するものであってもよく、機器またはモジュールの間接結合または通信接続は、電気的、機械的、または他の形式であってもよい。
【００７４】
当業者であれば理解できるように、上記方法に関する実施例を実現する全部または一部のステップは、プログラムによって関連のハードウェアに指令することにより行ってもよい。前述したプログラムは、コンピュータ可読記憶媒体に記憶されてもよい。該プログラムを実行する際に、上記方法に関する実施例を含むステップが実行される。前述した記憶媒体は、モバイル記憶デバイス、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクや光ディスクなどの、プログラムコードを記憶できる各種の媒体を含む。
【００７５】
上記は、本願の好ましい実施例にすぎず、本願の保護範囲を限定するものではない。本願の精神および原則内で行われる種々の修正、均等置換え、改善などは全て本願の保護範囲内に含まれるべきである。
【符号の説明】
【００７６】
５００  第１のＵＥ
５１０  設定モジュール
５２０  受信モジュール
５３０  推定モジュール
５４０  選択モジュール
５５０  生成モジュール
５６０  フィードバックモジュール
６００  基地局
６１０  設定モジュール
６２０  送信モジュール
６３０  受信モジュール
６４０  プリコーディングモジュール
６５０  制御モジュール
【図１】
2019512910.tif 000011
【図２】
2019512910.tif 000012
【図３】
2019512910.tif 000013
【図４】
2019512910.tif 000014
【図５】
2019512910.tif 000015
【図６】
2019512910.tif 000016
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
プリコーディング処理方法であって、
第１のユーザ機器（ＵＥ）が、複数の候補プリコーディングパラメータを含むプリコーディングパラメータ集合を予め設定し、
前記第１のＵＥが、基地局から送信された参照信号を受信し、前記参照信号に基づいて、チャネル状態を推定し、
前記チャネル状態に基づいて、前記プリコーディングパラメータ集合の中から、複数のフィードバック対象プリコーディングパラメータを選択し、前記複数のフィードバック対象プリコーディングパラメータに対して、プリコーディングインジケータを生成し、
前記プリコーディングインジケータを前記基地局にフィードバックする、
ことを含むことを特徴とする方法。
【請求項２】
前記プリコーディングパラメータ集合は、Ｇ個の候補プリコーディングパラメータを含み、ここで、Ｇ＞Ｍ２であり、Ｇは正整数であり、Ｍは前記基地局のアンテナ総数である、ことを特徴とする請求項１に記載の方法。
【請求項３】
前記プリコーディングパラメータ集合を予め設定することは、
2019512910.tif 000017
によって、ｇ番目の候補プリコーディング行列Ｐｇを算出して、前記候補プリコーディングパラメータとする、ことを含み、
ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す、
ことを特徴とする請求項２に記載の方法。
【請求項４】
前記チャネル状態に基づいて、前記プリコーディングパラメータ集合の中から、複数のフィードバック対象プリコーディングパラメータを選択することは、
各候補プリコーディングパラメータ毎に、該候補プリコーディングパラメータおよび前記チャネル状態に基づいて、容量性能指標を算出し、
全ての候補プリコーディングパラメータの容量性能指標を降順に並べ、該降順に並べられた容量性能指標にしたがって、最大となるＬ個の容量性能指標に対応するＬ個の候補プリコーディングパラメータを選択して、前記複数のフィードバック対象プリコーディングパラメータとする、ことを含み、
ここで、Ｌは、フィードバック対象プリコーディングパラメータの総数である、ことを特徴とする請求項１に記載の方法。
【請求項５】
前記容量性能指標は、スループット、信号対干渉雑音比、フレーム誤り率のいずれか１つである、ことを特徴とする請求項４に記載の方法。
【請求項６】
前記チャネル状態に基づいて、前記プリコーディングパラメータ集合の中から、複数のフィードバック対象プリコーディングパラメータを選択することは、
各候補プリコーディングパラメータ毎に、該候補プリコーディングパラメータと前記チャネル状態との偏差を算出し、
全ての候補プリコーディングパラメータの偏差を昇順に並べ、該昇順に並べられた偏差にしたがって、最小となるＬ個の偏差に対応するＬ個の候補プリコーディングパラメータを選択して、前記複数のフィードバック対象プリコーディングパラメータとする、ことを含み、
ここで、Ｌは、フィードバック対象プリコーディングパラメータの総数である、ことを特徴とする請求項１に記載の方法。
【請求項７】
前記チャネル状態に基づいて、前記プリコーディングパラメータ集合の中から、複数のフィードバック対象プリコーディングパラメータを選択することは、
各候補プリコーディングパラメータそれぞれおよび前記チャネル状態に対して、第１の信号対干渉雑音比（ＳＩＮＲ）を算出し、全ての候補プリコーディングパラメータの第１のＳＩＮＲに基づいて、第１のＳＩＮＲの和を算出し、
所定の並び順にしたがって、前記プリコーディングパラメータ集合の中から、Ｌ個の候補プリコーディングパラメータを選択し、前記Ｌ個の候補プリコーディングパラメータに対して、各候補プリコーディングパラメータそれぞれおよび前記チャネル状態に基づいて、Ｌ個の第２のＳＩＮＲをそれぞれ算出し、該Ｌ個の候補プリコーディングパラメータのＬ個の第２のＳＩＮＲに基づいて、第２のＳＩＮＲの和を算出し、
前記第２のＳＩＮＲの和と前記第１のＳＩＮＲの和との比率が所定の閾値より大きい場合、前記Ｌ個の候補プリコーディングパラメータを前記複数のフィードバック対象プリコーディングパラメータとする、ことを含む、
ことを特徴とする請求項１に記載の方法。
【請求項８】
前記基地局から送信されたプリコーディング後の第１のＵＥのデータを受信し、ここで、前記基地局が、前記第１のＵＥと同じ空間リソースを使用する第２のＵＥを決定し、前記第１のＵＥおよび前記第２のＵＥのプリコーディングインジケータに基づいて、１つの共通のプリコーディングパラメータを第１のプリコーディングパラメータとして決定し、該第１のプリコーディングパラメータを用いて、前記第１のＵＥおよび前記第２のＵＥのデータをプリコーディングする、ことをさらに含む、ことを特徴とする請求項１乃至７のいずれか１項に記載の方法。
【請求項９】
前記基地局から送信されたプリコーディング後の第１のＵＥのデータを受信し、ここで、前記基地局が、前記第１のＵＥと異なる空間リソースを使用する第３のＵＥを決定し、前記第３のＵＥのプリコーディングインジケータに基づいて、前記第１のプリコーディングパラメータと異なる第２のプリコーディングパラメータを決定し、該第２のプリコーディングパラメータを用いて、前記第３のＵＥのデータをプリコーディングする、ことをさらに含む、ことを特徴とする請求項８に記載の方法。
【請求項１０】
第１のユーザ機器（ＵＥ）であるユーザ機器であって、
複数の候補プリコーディングパラメータを含むプリコーディングパラメータ集合を予め設定する設定モジュールと、
基地局から送信された参照信号を受信する受信モジュールと、
前記参照信号に基づいて、チャネル状態を推定する推定モジュールと、
前記チャネル状態に基づいて、前記プリコーディングパラメータ集合の中から、複数のフィードバック対象プリコーディングパラメータを選択する選択モジュールと、
前記複数のフィードバック対象プリコーディングパラメータに対して、プリコーディングインジケータを生成する生成モジュールと、
前記プリコーディングインジケータを前記基地局にフィードバックするフィードバックモジュールと、を備えることを特徴とするユーザ機器。
【請求項１１】
前記プリコーディングパラメータ集合は、Ｇ個の候補プリコーディングパラメータを含み、ここで、Ｇ＞Ｍ２であり、Ｇは正整数であり、Ｍは前記基地局側のアンテナ総数である、ことを特徴とする請求項１０に記載のユーザ機器。
【請求項１２】
前記設定モジュールは、
2019512910.tif 000018
によって、ｇ番目の候補プリコーディング行列Ｐｇを算出して、前記候補プリコーディングパラメータとし、ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す、ことを特徴とする請求項１１に記載のユーザ機器。
【請求項１３】
前記選択モジュールは、各候補プリコーディングパラメータ毎に、該候補プリコーディングパラメータおよび前記チャネル状態に基づいて、容量性能指標を算出し、全ての候補プリコーディングパラメータの容量性能指標を降順に並べ、該降順に並べられた容量性能指標にしたがって、最大となるＬ個の容量性能指標に対応するＬ個の候補プリコーディングパラメータを選択して、前記複数のフィードバック対象プリコーディングパラメータとし、ここで、Ｌは、フィードバック対象プリコーディングパラメータの総数である、ことを特徴とする請求項１０に記載のユーザ機器。
【請求項１４】
前記選択モジュールは、各候補プリコーディングパラメータ毎に、該候補プリコーディングパラメータと前記チャネル状態との偏差を算出し、全ての候補プリコーディングパラメータの偏差を昇順に並べ、該昇順に並べられた偏差にしたがって、最小となるＬ個の偏差に対応するＬ個の候補プリコーディングパラメータを選択して、前記複数のフィードバック対象プリコーディングパラメータとし、ここで、Ｌは、フィードバック対象プリコーディングパラメータの総数である、ことを特徴とする請求項１０に記載のユーザ機器。
【請求項１５】
前記選択モジュールは、各候補プリコーディングパラメータそれぞれおよび前記チャネル状態に対して、第１の信号対干渉雑音比（ＳＩＮＲ）を算出し、全ての候補プリコーディングパラメータの第１のＳＩＮＲに基づいて、第１のＳＩＮＲの和を算出し、所定の並び順にしたがって、前記プリコーディングパラメータ集合の中から、Ｌ個の候補プリコーディングパラメータを選択し、前記Ｌ個の候補プリコーディングパラメータに対して、各候補プリコーディングパラメータそれぞれおよび前記チャネル状態に基づいて、Ｌ個の第２のＳＩＮＲをそれぞれ算出し、該Ｌ個の候補プリコーディングパラメータのＬ個の第２のＳＩＮＲに基づいて、第２のＳＩＮＲの和を算出し、前記第２のＳＩＮＲの和と前記第１のＳＩＮＲの和との比率が所定の閾値より大きい場合、前記Ｌ個の候補プリコーディングパラメータを前記複数のフィードバック対象プリコーディングパラメータとする、ことを特徴とする請求項１０に記載のユーザ機器。
【請求項１６】
前記受信モジュールは、さらに、前記基地局から送信されたプリコーディング後の第１のＵＥのデータを受信し、ここで、前記基地局が、前記第１のＵＥと同じ空間リソースを使用する第２のＵＥを決定し、前記第１のＵＥおよび前記第２のＵＥのプリコーディングインジケータに基づいて、１つの共通のプリコーディングパラメータを第１のプリコーディングパラメータとして決定し、該第１のプリコーディングパラメータを用いて、前記第１のＵＥおよび前記第２のＵＥのデータをプリコーディングする、ことを特徴とする請求項１０乃至１５のいずれか１項に記載のユーザ機器。
【請求項１７】
前記受信モジュールは、さらに、前記基地局から送信されたプリコーディング後の第１のＵＥのデータを受信し、ここで、前記基地局が、前記第１のＵＥと異なる空間リソースを使用する第３のＵＥを決定し、前記第３のＵＥのプリコーディングインジケータに基づいて、前記第１のプリコーディングパラメータと異なる第２のプリコーディングパラメータを決定し、該第２のプリコーディングパラメータを用いて、前記第３のＵＥのデータをプリコーディングする、ことを特徴とする請求項１６に記載のユーザ機器。
【請求項１８】
基地局であって、
複数の候補プリコーディングパラメータを含むプリコーディングパラメータ集合を予め設定する設定モジュールと、
第１のユーザ機器（ＵＥ）へ参照信号を送信することにより、前記第１のＵＥが、受信された参照信号に基づいて、チャネル状態を推定し、前記チャネル状態に基づいて、前記プリコーディングパラメータ集合の中から、複数のフィードバック対象プリコーディングパラメータを選択し、前記複数のフィードバック対象プリコーディングパラメータに対して、プリコーディングインジケータを生成するようにする送信モジュールと、
前記第１のＵＥからフィードバックされた前記プリコーディングインジケータを受信する受信モジュールと、
前記プリコーディングインジケータおよび前記プリコーディングパラメータ集合に基づいて、前記第１のＵＥのデータをプリコーディングするためのプリコーディングパラメータを決定するプリコーディングモジュールと、
を備えることを特徴とする基地局。
【請求項１９】
前記プリコーディングパラメータ集合は、Ｇ個の候補プリコーディングパラメータを含み、ここで、Ｇ＞Ｍ２であり、Ｇは正整数であり、Ｍは前記基地局のアンテナ総数である、ことを特徴とする請求項１８に記載の基地局。
【請求項２０】
前記設定モジュールは、
2019512910.tif 000019
によって、ｇ番目の候補プリコーディング行列Ｐｇを算出して、前記候補プリコーディングパラメータとし、ここで、ｇ＝０，１，・・・，Ｇ−１であり、ｍ＝０，１，・・・，Ｍ−１であり、ｎ＝０，１，・・・，Ｍ−１であり、Ｐｇ（ｍ，ｎ）は候補プリコーディング行列Ｐｇのｍ行目ｎ列目の要素を表す、ことを特徴とする請求項１９に記載の基地局。
【請求項２１】
前記プリコーディングモジュールは、前記第１のＵＥと同じ空間リソースを使用する第２のＵＥを決定し、前記第１のＵＥおよび前記第２のＵＥのプリコーディングインジケータの中から、１つの共通のプリコーディングパラメータを第１のプリコーディングパラメータとして探し出し、該第１のプリコーディングパラメータを用いて、前記第１のＵＥおよび前記第２のＵＥのデータをプリコーディングする、ことを特徴とする請求項１８に記載の基地局。
【請求項２２】
前記プリコーディングモジュールは、前記第１のＵＥと異なる空間リソースを使用する第３のＵＥを決定し、前記第３のＵＥのプリコーディングインジケータの中から、前記第１のプリコーディングパラメータと異なる第２のプリコーディングパラメータを探し出し、該第２のプリコーディングパラメータを用いて、前記第３のＵＥのデータをプリコーディングする、ことを特徴とする請求項２１に記載の基地局。
【請求項２３】
下りハイブリッド自動再送要求の結果に基づいて、パケット誤り率を統計し、前記パケット誤り率が所定の閾値より大きい場合、前記送信モジュールへ制御指令を送信する制御モジュールをさらに備え、
前記送信モジュールは、さらに、前記制御指令にしたがって、下り制御シグナリングを送信して、前記第１のＵＥに対し、前記プリコーディングインジケータをフィードバックするよう通知する、
ことを特徴とする請求項１８乃至２２のいずれか１項に記載の基地局。
【手続補正２】
【補正対象書類名】明細書
【補正対象項目名】００２８
【補正方法】変更
【補正の内容】
【００２８】
ステップ１０４で、プリコーディングインジケータを基地局にフィードバックする。
プリコーディングインジケータには、Ｌ個の候補プリコーディング行列それぞれのプリコーディングパラメータ集合におけるインデックスが付けられている。第１のＵＥが該プリコーディングインジケータを基地局にフィードバックするか否かは、上位層シグナリング（例えば、無線リソース制御（ＲＲＣ）シグナリング）によって半静的に設定され、または下り制御シグナリングによって基地局で動的に設定されてもよい。
【手続補正３】
【補正対象書類名】明細書
【補正対象項目名】００６４
【補正方法】変更
【補正の内容】
【００６４】
一部の実施例では、前記受信モジュール５２０は、さらに、前記基地局から送信されたプリコーディング後の第１のＵＥのデータを受信し、ここで、前記基地局が、前記第１のＵＥと異なる空間リソースを使用する第３のＵＥを決定し、前記第３のＵＥのプリコーディングインジケータに基づいて、前記第１のプリコーディングパラメータと異なる第２のプリコーディングパラメータを決定し、該第２のプリコーディングパラメータを用いて、前記第３のＵＥのデータをプリコーディングする。
【国際調査報告】
2019512910.tif 000020
2019512910.tif 000021
2019512910.tif 000022
2019512910.tif 000023
2019512910.tif 000024
2019512910.tif 000025